(57)【要約】【課題】  内視鏡用処置具の挿入部を折り返したり、丸めたりした状態で処置具本体を保持するとともに保護することができる。【解決手段】  内視鏡用処置具１は、内視鏡に形成された鉗子チャンネル内に挿通される可撓性の挿入部１０と、該挿入部１０の先端１０ａに設けられた処置具本体１１と、挿入部１０の基端１０ｂに接続されて処置具本体１１を操作する操作部１２とを備え、操作部１２，挿入部１０もしくは操作部１２と挿入部１０との中間部には処置具本体１１を内部に保持可能な挿入孔を有するキャップ部２０が設けられている。【選択図】      図２
2005198882.tif 000002
【特許請求の範囲】
【請求項１】
内視鏡に形成された鉗子チャンネル内に挿通される可撓性の挿入部と、
該挿入部の先端に設けられた処置具本体と、
前記挿入部の基端に接続されて前記処置具本体を操作する操作部とを備え、
前記操作部，前記挿入部もしくは前記操作部と前記挿入部との中間部には前記処置具本体を内部に保持可能な挿入孔を有するキャップ部が設けられていることを特徴とする内視鏡用処置具。
【請求項２】
前記キャップ部は、前記挿通孔の軸方向の両端側からそれぞれ前記処置具本体が挿入可能で処置具本体を保持する挿入孔を有することを特徴とする請求項１に記載の内視鏡用処置具。
【請求項３】
前記挿通孔の軸方向の両端側から互いに連通した貫通孔とされていることを特徴とする請求項２に記載の内視鏡用処置具。
【請求項４】
前記貫通孔が、一端の開口部から他端の開口部あるいは軸方向の中心に向かって漸次または段階的に内径が狭くなっていることを特徴とする請求項３に記載の内視鏡用処置具。
【請求項５】
前記中間部が、前記挿入部と前記操作部との接続部分に備えられて前記挿入部を覆う弾性を有した折れ止め部であることを特徴とする請求項１から４のいずれか１項に記載の内視鏡用処置具。
【請求項６】
前記キャップ部が弾性材料で形成され、前記挿入孔及び貫通孔が前記処置具本体の外径より小さい内径を有していることを特徴とする請求項１から５のいずれか１項に記載の内視鏡用処置具。
【発明の詳細な説明】
【技術分野】
【０００１】
本発明は、内視鏡の鉗子チャンネルに挿入して体内の処置を行う内視鏡用処置具に関するものである。
【背景技術】
【０００２】
従来、内視鏡用処置具としては、内視鏡に設けられた鉗子チャンネルに挿通し、内視鏡の先端部から鉗子部等の処置具本体を突出させ、体内の処置を行うものが知られている。これらの内視鏡用処置具は、内視鏡に挿入させる関係上、長い処置具の挿入部を持っている。
【０００３】
この処置具の挿入部を容易に収納する内視鏡用処置具が提案されている（例えば、特許文献１参照。）。この特許文献１に記載の内視鏡用処置具は、指掛け用フランジに係合孔が設けられており、この係合孔は、処置具本体が閉じた状態において挿通可能な内径寸法に形成されている。これにより、処置具本体が閉じた状態のときは貫通可能であるが、開いた状態のときは貫通不能な構成となっている。
一方、一般的に鉗子などの処置具は、処置具本体の保護のため保護キャップを付ける構成になっている。
【特許文献１】特公昭６２−１９１７２号公報
【発明の開示】
【発明が解決しようとする課題】
【０００４】
しかしながら、上記従来の技術には以下のような課題が残されている。特許文献１に記載の内視鏡用処置具では、処置具本体を指掛け用フランジに単に係合させただけで保持しているものである。このため、処置具本体は露出した状態で保持されているので、処置具本体の取り扱いに注意を払う必要がある。また、保護キャップを付ける内視鏡用処置具に関しては、容易に処置具の挿入部を束ねることができなかった。
本発明は上述した事情に鑑みてなされたものであって、簡易な構成により、保護キャップの紛失を回避することができ、内視鏡用処置具の挿入部を束ねたり、丸めたりした状態で処置具本体保持するとともに保護することができる内視鏡用処置具を提供することを目的とする。
【課題を解決するための手段】
【０００５】
上記目的を達成するために、本発明は、以下の手段を提供する。
本発明の内視鏡用処置具は、該挿入部の先端に設けられた処置具本体と、前記挿入部の基端に接続されて前記処置具本体を操作する操作部とを備え、前記操作部，前記挿入部もしくは前記操作部と前記挿入部との中間部には前記処置具本体を内部に保持可能な挿入孔を有するキャップ部が設けられていることを特徴としている。
【０００６】
この発明によれば、内視鏡用処置具を使用していない場合、処置具本体をキャップ部に嵌めることにより、挿入部を束ねたり、丸めたりした状態で処置具本体を挿入孔の内部に保持するとともに保護することが可能となる。また、操作部，挿入部もしくは操作部と挿入部との中間部にキャップ部が設けられていることにより、従来のようにキャップが別体として備えられている場合に比べキャップの紛失を回避することが可能となる。
【０００７】
また、本発明の内視鏡用処置具は、前記キャップ部は、前記挿通孔の軸方向の両端側からそれぞれ前記処置具本体が挿入可能で処置具本体を保持する挿入孔を有することが好ましい。
また、本発明の内視鏡用処置具は、前記挿通孔の軸方向の両端側から互いに連通した貫通孔とされていることが好ましい。
【０００８】
これら発明によれば、内視鏡用処置具を使用していない場合、内視鏡本体を挿入孔及び貫通孔の一端側あるいは他端側のどちらからでも挿入することができるため利便性に優れている。また、挿入部を束ねた際の処置具本体の向きに応じて貫通孔の一端側あるいは他端側に挿入して、コンパクトに保持することができる。
【０００９】
また、本発明の内視鏡用処置具は、前記貫通孔が、一端の開口部から他端の開口部あるいは軸方向の中心に向かって漸次または段階的に内径が狭くなっていることが好ましい。
この発明によれば、外径の異なる処置具本体を用いる場合においても、貫通孔が漸次または段階的に内径が狭くなっているので、処置具本体の外径に応じて処置具本体を貫通孔に確実に嵌めることが可能となる。
【００１０】
また、本発明の内視鏡用処置具は、前記中間部が、前記挿入部と前記操作部との接続部分に備えられて前記挿入部を覆う弾性を有した折れ止め部であることが好ましい。
この発明によれば、中間部が折れ止め部であるため、キャップ部と折れ止め部とを一体成型することができるため、生産性が向上するとともにコストを低減することにもなる。さらに、折れ止め部にキャップ部があるため、操作の邪魔にならないような構成にすることが可能となる。
【００１１】
また、本発明の内視鏡処置具は、前記キャップ部が弾性材料で形成され、前記挿入孔及び貫通孔が前記処置具本体の外形より小さい内径を有していることが好ましい。
この発明によれば、キャップ部を弾性材料で形成することにより、処置具本体を圧入するだけで処置具本体を保持することができる。さらに、処置具本体と挿入部との間に加わる負荷を低減させながら、処置具本体を覆って保護することができる。
【発明の効果】
【００１２】
本発明に係る内視鏡用処置具によれば、内視鏡用処置具を使用していない場合、キャップ部に設けられた挿入孔あるいは貫通孔に処置具本体を嵌めることにより、内視鏡用処置具の挿入部を折り返したり、丸めたりした状態で処置具本体を保持するとともに保護することが可能となる。
【発明を実施するための最良の形態】
【００１３】
以下、本発明の第１実施形態に係る内視鏡用処置具について図１から図５を参照して説明する。
本実施形態に係る鉗子（内視鏡用処置具）１は、図１に示すように、内視鏡２の挿入部５を体腔内に挿入した後、内視鏡２の鉗子口３から鉗子チャンネル４内に挿入させて使用する。
この鉗子１は、図２から図４に示すように、鉗子口３から鉗子チャンネル４内に挿通される可撓性の挿入部１０と、この挿入部１０の先端１０ａに接続された鉗子部（処置具本体）１１と、挿入部１０の基端１０ｂに接続されて鉗子部１１を操作する操作部１２とを備えている。
前記鉗子部１１は、開閉可能な一対の鉗子片１１ａ，１１ｂを備えており、鉗子片１１ａ，１１ｂは基端から他端に延びる略棒状の金属片で形成されている。この鉗子部１１は、図３に示すように、挿入部１０内部の管状のシース部材１３内に配された操作ワイヤ１４と、この操作ワイヤ１４の進退操作を鉗子片１１ａ，１１ｂに伝達して駆動するリンク機構とを備えており、操作部１２により開閉可能となっている。
【００１４】
前記操作部１２は、中心部に操作ワイヤ１４を挿通可能とされたスロット部１６と、操作ワイヤ１４と接続されスロット部１６の外周上を軸方向に進退自由に配された管状のスライド部１７と、スロット部１６の基端側に接続されたリング部１８とを備えている。
【００１５】
前記挿入部１０と操作部１２との接続部分には、図４に示すように、挿入部１０と操作部１２との接続部分を覆うように挿入部１０の座屈を防止するための折れ止め部（中間部）１５が設けられている。また、この折れ止め部１５には、キャップ部２０が設けられている。
前記キャップ部２０には、鉗子部１１を内部に保持可能な挿入孔２１が形成されている。この挿入孔２１は、キャップ部２０の一端２０ａ側に開口部を有し他端２０ｂ側に向かって設けられており、キャップ部２０の長さ方向の略中心あたりまで達している。
【００１６】
また、折れ止め部１５及びキャップ部２０は弾性材料からなり、一体的に構成されている。このキャップ部２０は、挿入部１０より柔軟性の低い材料で形成されているため、挿入部１０の基端１０ｂにおける座屈を防止するようになっている。この挿入孔２１の内径は、鉗子部１１の外径より若干小さく形成されており、鉗子部１１を圧入可能となっている。
また、前記折れ止め部１５は、図５に示すように、操作部１２の先端側に設けられた第１の操作部部材２２とシース部材１３に嵌合されて設けられた第２の操作部部材２３とにより形成された隙間部２４に配されており、シース部材１３と操作部部材２３とを覆う構成になっている。さらに、第１の操作部部材２２にはめねじ２２ａが形成され、第２の操作部部材２３には第１の操作部部材２２に形成されためねじ２２ａと螺合するおねじ２３ａが形成されており、また、第２の操作部部材２３の先端には鋸歯状の突状部２５が形成されている。折れ止め部１５の固定は、主に第２の操作部部材２３に設けられた凸部２３ａにより可能であるが、第１の操作部部材２２と第２の操作部部材２３とに接着固定させることであっても良い。また、折れ止め部１５を熱収縮チューブとすることであっても固定は可能である。
前記スライド部１７は、軸方向に進退させることにより、リンク機構により操作ワイヤ１４の進退操作を鉗子部１１ａ，１１ｂに伝達して開閉させるようになっている。
【００１７】
次に、以上の構成からなる本実施形態の鉗子の使用方法について、以下に説明する。
まず、内視鏡２の挿入部５を体腔内に挿入し、内視鏡２の鉗子チャンネル４に鉗子１の挿入部１０を挿通する。そして、スライド部１７を操作し、鉗子片１１ａ，１１ｂの開閉を行い、体腔内の患部の観察及び処置を行う。そして、患部等の処置が終了した場合、スライド部１７を操作し、鉗子片１１ａ，１１ｂを閉じた状態で、鉗子１を内視鏡２の挿入部５から引き抜いて取り出す。
次いで、操作部１２を把持した状態で、図４に示すように、鉗子部１１をキャップ部２０に設けられた挿入孔２１に嵌めることにより、鉗子部１１を保持する。また、鉗子１を保管する場合においても、挿入孔２１に鉗子部１１を差し込む。
【００１８】
すなわち、本実施形態に係る鉗子１によれば、鉗子１を使用していない場合、鉗子１の本体の鉗子部１１をキャップ部２０に設けられた挿入孔２１に嵌めることにより、挿入部１０を折り返したり、丸めたりした状態で、鉗子部１１を挿入孔の内部に保持するとともに保護することができる。これにより、コンパクトに挿入部１０をまとめることも可能となる。また、キャップ部２０が折れ止め部１５に設けられることにより、キャップ部２０と折れ止め部１５とを一体成型することができるため、生産性が向上するとともにコストを低減することにもなる。
【００１９】
また、折れ止め部１５にキャップ部２０が設けられていることにより、キャップの紛失を回避することが可能となる。また、操作部１２を把持した状態で鉗子部１１をキャップ部２０の挿入孔２１に嵌めることができる。さらに、鉗子１を操作する部分にキャップ部２０がないため、操作の邪魔にならないような構成にすることが可能となる。
さらに、キャップ部２０を弾性材料で形成することにより、鉗子部１１を圧入するだけで鉗子部１１を保持することができる。この結果、鉗子部１１と挿入部１０との間に加わる負荷を低減させながら、鉗子部１１を覆って保護することが可能となる。
【００２０】
次に、本発明の第２実施形態に係る鉗子について図６及び図７を参照して説明する。なお、以下に説明する各実施形態において、上述した第１実施形態に係る鉗子１と構成を共通とする箇所には同一符号を付けて、説明を省略することにする。
本実施形態に係る鉗子（内視鏡用処置具）３０において、第１実施形態と異なる点は、第１実施形態では有底の挿入孔２１が設けられているのに対し、第２実施形態ではキャップ部３１に貫通孔３２が設けられている点である。
前記貫通孔３２は、図６に示すように、鉗子部１１の外径より若干小さい内径で形成されており、キャップ部３１の一端３１ａ側から他端３１ｂ側に略同一の内径を有するとともに貫通されて形成されている。
【００２１】
このように構成された本実施形態に係る鉗子の使用方法について、以下に説明する。
第１実施形態と同様に体腔内の観察及び処置が終わった後、鉗子３０を内視鏡２の挿入部５から引き抜いて取り出す。次いで、操作部１２を把持した状態で、図６に示すように、鉗子部１１をキャップ部３１に設けられた貫通孔３２の一端３１ａ側あるいは、図７に示すように、他端３１ｂ側から嵌めることにより、鉗子部１１を保持する。
【００２２】
すなわち、本実施形態に係る鉗子３０によれば、鉗子３０を使用していない場合、挿入部１０を束ねた際の鉗子１１の向きに応じて貫通孔３２の一端３１ａ側あるいは他端３１ｂ側に挿入して、コンパクトに保持することができる。
【００２３】
次に、本発明の第３実施形態に係る鉗子について図８を参照して説明する。
本実施形態に係る鉗子（内視鏡用処置具）４０において、第２実施形態と異なる点は、第２実施形態では貫通孔３２が設けられているのに対し、第３実施形態では貫通孔４２がキャップ部４１の一端４１ａの開口部から他端４１ｂの開口部の軸方向の中心に向かって漸次内径が狭くなって形成されている点である。
前記貫通孔４２の一端４１ａ側の内径は、図８に示すように、鉗子部１１の外径よりも若干大きく形成されている。この貫通孔４２は一端４１ａから他端４１ｂ側に向かって中央まで径が漸次小さく形成され、断面がテーパ状に形成されている。また、その内径が貫通孔４２の中央から他端４１ｂに向かって漸次内径が大きく形成され、断面がテーパ状に形成されている。
【００２４】
このように構成された本実施形態に係る鉗子の使用方法について、以下に説明する。
第２実施形態と同様に操作部１２を把持した状態で、鉗子部１１をキャップ部４１に設けられた貫通孔４２の一端４１ａ側、あるいは他端４１ｂ側から嵌めることにより、鉗子部１１を保持する。
【００２５】
すなわち、本実施形態に係る鉗子４０は、外径の異なる鉗子部１１を用いる場合においても、貫通孔の内径が漸次狭くなっているので、鉗子部１１の外径に応じて鉗子部１１を貫通孔４２の内部に確実に嵌めることが可能となる。
なお、本実施形態において、貫通孔４２の内径が中心に向かって漸次狭くなるように形成されたが、本実施形態の他の例として、図９に示すように、貫通孔４４を段階的に狭くなる構成としても良い。
すなわち、貫通孔４４には、キャップ部４３の一端４３ａと内径の同じ第１の小径部４５，第１の小径部４５より内径の小さい第２の小径部４６，第２の小径部４６より内径の小さい第３の小径部４７，第３の小径部４７より内径の大きい第４の小径部４８及び第４の小径部４８より内径の大きい第５の小径部４９が他端４３ｂに向かって順に形成されている。このように、第１，第２，第３，第４及び第５の小径部４５，４６，４７，４８及び４９が貫通孔４４に形成されているため、これらの内径に応じた外径の鉗子部１１を保持することが可能である。
【００２６】
次に、本発明の第４実施形態に係る鉗子について図１０を参照して説明する。
本実施形態に係る鉗子（内視鏡用処置具）５０において、第１実施形態と異なる点は、第１実施形態では挿入孔２１がキャップ部２０の一端２０ａ側に設けられているのに対し、第４実施形態では、キャップ部５１には一端５１ａ及び他端５１ｂにそれぞれ挿入孔が設けられている点である。
前記キャップ部５１には、図１０に示すように、一端５１ａ及び他端５１ｂそれぞれに挿入孔５２Ａ及び５２Ｂが形成されている。
【００２７】
このように構成された本実施形態に係る鉗子の使用方法について、以下に説明する。
第１実施形態と同様に操作部１２を把持した状態で、鉗子部１１をキャップ５１部に設けられた挿入孔５２Ａあるいは挿入孔５２Ｂから嵌めることにより、鉗子部１１を保持する。
【００２８】
すなわち、本実施形態に係る鉗子５０によれば、鉗子５０を使用していない場合、挿入孔５２Ａあるいは挿入孔５２Ｂのどちらからでも挿入することができるので、利便性に優れている。また、挿入孔５２Ａ及び挿入孔５２Ｂは連通していないため、貫通孔の場合に比べて入れすぎてしまうことがないため、確実に挿入孔５２Ａ及び挿入孔５２Ｂの内部に鉗子部１１を保持することが可能となる。
【００２９】
なお、本発明の技術範囲は上記実施の形態に限定されるものではなく、本発明の趣旨を逸脱しない範囲において種々の変更を加えることが可能である。
例えば、上記各実施形態において、キャップ部は折れ止め部に設けられた構成としたが、これに代えて、図１１に示すように、操作部１２にキャップ部６０が設けられていても良く、あるいは、図１２に示すように、挿入部１０にキャップ部６１が設けられていても良い。また、図１１及び図１２は挿入孔を設けた場合であるが、貫通孔であっても良い。
【００３０】
また、上記各実施形態において、処置具本体として鉗子部を用いたが、これに限るものではなく、例えば、スネア（処置具本体）や、針（処置具本体）等のようなものでも構わない。
また、キャップ部２０は、折れ止め部１５と一体成型としたが、折れ止め部１５と別体の構造でもよく、折れ止め部１５から取り外し可能な別体構造としても良い。
【図面の簡単な説明】
【００３１】
【図１】本発明の第１実施形態に係る鉗子を軟性内視鏡に挿入した状態を示す平面図である。
【図２】本発明の第１実施形態に係る鉗子を示す全体図である。
【図３】図２のＡ−Ａ線矢視断面図である。
【図４】本発明の第１実施形態に係る鉗子のキャップ部を示す要部を破断した平面図である。
【図５】本発明の第１実施形態に係る鉗子のキャップ部を示す断面図である。
【図６】本発明の第２実施形態に係る鉗子のキャップ部を示す要部を破断した断面図である。
【図７】本発明の第２実施形態に係る鉗子のキャップ部の他端から鉗子を挿入したときの、キャップ部を示す図である。
【図８】本発明の第３実施形態に係る鉗子のキャップ部を示す要部を破断した断面図である。
【図９】本発明の第３実施形態の他の例を示す要部を破断した断面図である。
【図１０】本発明の第４実施形態に係る鉗子のキャップ部の要部を破断した断面図である。
【図１１】本発明の各実施形態に係る鉗子のキャップ部の他の形成箇所を示す全体図である。
【図１２】本発明の各実施形態に係る鉗子のキャップ部の他の形成箇所を示す全体図である。
【符号の説明】
【００３２】
１，３０，４０，５０  鉗子（内視鏡用処置具）
２  内視鏡
３  鉗子口
４  鉗子チャンネル
１０  挿入部
１０ａ  挿入部の先端
１０ｂ  挿入部の基端
１１  鉗子部（処置具本体）
１２  操作部
１５  折れ止め部
２０，３１，４１，４３，５１  キャップ部
２１，５２Ａ，５２Ｂ  挿入孔
３２，４２，４４  貫通孔
【図１】
2005198882.tif 000003
【図２】
2005198882.tif 000004
【図３】
2005198882.tif 000005
【図４】
2005198882.tif 000006
【図５】
2005198882.tif 000007
【図６】
2005198882.tif 000008
【図７】
2005198882.tif 000009
【図８】
2005198882.tif 000010
【図９】
2005198882.tif 000011
【図１０】
2005198882.tif 000012
【図１１】
2005198882.tif 000013
【図１２】
2005198882.tif 000014